(57)【要約】      （修正有）【課題】着脱が容易で固定が確実、且つ湿気の進入が防止されるコネクタの固定装置を提供する。【解決手段】コネクタ本体１０と固定装置２０とより構成し、コネクタ本体１０には連結部１１と導線部１２とを設けると同時に該固定装置２０を枢設連結し、また固定装置２０には開閉部２１とフック掛合部２２を含み、開閉部２１とフック掛合部２２とは枢設連結状態とし、こうすることにより、コネクタ本体１０と開閉部２１の枢設個所を回転の中心として、フック掛合部２２の移動位置が変えられるようにし、コネクタ本体１０とドックコネクタの固定を緊密にする。【選択図】図３
0003109807.tif 000002
【実用新案登録請求の範囲】
【請求項１】
コネクタ本体及び固定装置より構成されるコネクタの固定装置において、
連結部と導線部とを具有する該コネクタ本体と、
少なくとも一つ以上設けられるものであり、また相互に連結される開閉部及びフック掛合部を具有し、該コネクタ本体に枢設される前記固定装置と、
を具有し、
上述の枢設される個所を回転中心とし、前記フック掛合部の移動位置を変化させることで該コネクタ本体とドックコネクタの固定を達成することを特徴とするコネクタの固定装置。
【請求項２】
前記コネクタ本体の連結部には環状を呈した凹型溝が設けられ、該凹型溝により防水用パッキンが嵌設される個所が提供されることを特徴とする請求項１記載のコネクタの固定装置。
【請求項３】
前記コネクタ本体の導線部側からは外側にフック部が延伸しており、且つ該固定装置の開閉部末端に対応した位置に設けられていることにより、該フック部が該開閉部を圧制する作用を提供することを特徴とする請求項１記載のコネクタの固定装置。
【請求項４】
前記コネクタ本体には孔が設けられ、前記固定装置の開閉部には第一穿孔及び第二穿孔が設けられ、これらの対応する該第一穿孔と該孔とは枢軸によって枢設され、該コネクタ本体と該固定装置とが連結されることを特徴とする請求項１記載のコネクタの固定装置。
【請求項５】
前記固定装置の開閉部は平らな板状のものを略コの字型に湾曲させたものであり、且つ前記開閉部の適当な位置には穿孔が設けられていることを特徴とする請求項４記載のコネクタの固定装置。
【請求項６】
前記固定装置のフック掛合部はワイヤを湾曲して成るものであり、開口端を具有し、該開口端上には二つの円軸が設けられ、該円軸は前記開閉部の第二穿孔と枢設方式で連結されることを特徴とする請求項４記載のコネクタの固定装置。
【請求項７】
前記固定装置のフック掛合部は方形、或いは半円形、或いは三角形、或いは梯子型を呈したフレーム体であることを特徴とする請求項１記載のコネクタの固定装置。
【請求項８】
コネクタ本体と固定装置とより構成されるコネクタの固定装置において、
連結部を具有する該コネクタ本体と、
少なくとも一つ以上設けられるものであり、また相互に連結される開閉部及びフック掛合部を具有し、前記コネクタ本体上に枢設される前記固定装置と、を具有し、
前記の枢設される個所を中心として、前記開閉部の移動地位を変え、前記コネクタ本体とドックコネクタとの固定を達成することを特徴とするコネクタの固定装置。
【請求項９】
前記コネクタ本体の連結部はスロットであることを特徴とする請求項８記載のコネクタの固定装置。
【考案の詳細な説明】
【技術分野】
【０００１】
本考案はコネクタの固定装置に係り、特にシグナル伝送におけるコネクタをドックコネクタと緊密に固定する固定装置に関わる。
【背景技術】
【０００２】
コンピュータ産業が進化するにつれ、コネクタは電源やシグナル伝送において必要不可欠となっている。しかしコネクタとは主にパソコンや周辺設備において連結して使用するものであり、長時間の振動や繰り返し抜き挿しの動作を行うことにより緩みやすくなっており、一旦緩んでしまうと、例えばプリンター等にデータが伝送されない等といった問題が出てしまう。こういった問題を解決するべく、コネクタを固定する装置が既に考案されている。
【０００３】
従来公知におけるコネクタ固定装置（１）として、図１に示すように、主にコネクタ１０aと一対のドックコネクタ２０aにおいて、該コネクタ１０aの前方両側にそれぞれ突起板１１aが設けられ、該突起板１１aの中央個所には鳩尾型溝１２aが設けられる。該ドックコネクタ２０aの両側にはそれぞれワイヤ２１aが設けられ、該ワイヤ２１aの末端には菱形の凸部２２aが形成されており、更にボルト２３aにより該ワイヤ２１aが該ドックコネクタ２０a上に固定される。該ワイヤ２１aの凸部２２aを該突起板１１aの鳩尾型溝１２a中に進入させ、該コネクタ１０aが該ドックコネクタ２０aと緊密に固定される目的を果たす。
【０００４】
また、従来公知におけるもう一つのタイプのコネクタの固定構造（２）においては、図２に示すように、コネクタ３０a及びドックコネクタ４０aを具有するが、該コネクタ３０aの両側には凸型耳３１aが延伸し、該凸型耳３１aの中心個所には孔３２aが設けられる。また該ドックコネクタ４０aの両側にはそれぞれボルトホール４１aが設けられ、該ボルトホール４１aは該コネクタ３０aの孔３２aに対応した個所に位置するようになっており、該ボルト４２aを穿設する個所が提供される。こうして該コネクタ３０aと該ドックコネクタ４０aとが緊密に固定される目的を達成する。
【特許文献１】特開２００１−２８３９９１号
【考案の開示】
【考案が解決しようとする課題】
【０００５】
しかし、上述した従来公知における構造（１）では、振動が起こった場合にワイヤと鳩尾型溝との間に磨耗が起こり、接触不良が起こりやすく、また、従来公知における構造（２）ではボルトを使用することにより着脱が容易でなく、しばしば挿し込んだり抜いたりするのには非常に不便である。
また、上述の両者は共に湿気や水気に対処する構造が無く、コネクタ内部の接触端子が作業中に受ける湿気や水気で酸化しやすく、コネクタの寿命が理想的ではないことが言える。
本考案は、上述の欠点に鑑み、着脱が容易で固定が確実、且つ湿気の進入が防止される本考案のコネクタの固定装置を提供する。
【課題を解決するための手段】
【０００６】
本考案は、上記課題を達成するために、コネクタ本体と固定装置とより構成し、該コネクタ本体には連結部と導線部とを設けると同時に該固定装置を枢設連結し、また該固定装置には開閉部とフック掛合部を含み、該開閉部とフック掛合部とは枢設連結状態とし、こうすることにより、該コネクタ本体と該開閉部の枢設個所を回転の中心として、該フック掛合部の移動位置が変えられるようにし、該コネクタ本体とドックコネクタの固定を緊密にするものである。
【０００７】
すなわち、請求項１の考案は、コネクタ本体及び固定装置より構成されるコネクタの固定装置において、連結部と導線部とを具有する該コネクタ本体と、少なくとも一つ以上設けられるものであり、また相互に連結される開閉部及びフック掛合部を具有し、該コネクタ本体に枢設される前記固定装置と、を具有し、上述の枢設される個所を回転中心とし、前記フック掛合部の移動位置を変化させることで該コネクタ本体とドックコネクタの固定を達成することを特徴とするコネクタの固定装置である。
【０００８】
請求項２の考案は、前記コネクタ本体の連結部には環状を呈した凹型溝が設けられ、該凹型溝により防水用パッキンが嵌設される個所が提供されることを特徴とする請求項１記載のコネクタの固定装置である。
請求項３の考案は、前記コネクタ本体の導線部側からは外側にフック部が延伸しており、且つ該固定装置の開閉部末端に対応した位置に設けられていることにより、該フック部が該開閉部を圧制する作用を提供することを特徴とする請求項１記載のコネクタの固定装置である。
請求項４の考案は、前記コネクタ本体には孔が設けられ、前記固定装置の開閉部には第一穿孔及び第二穿孔が設けられ、これらの対応する該第一穿孔と該孔とは枢軸によって枢設され、該コネクタ本体と該こて装置とが連結されることを特徴とする請求項１記載のコネクタの固定装置である。
請求項５の考案は、前記固定装置の開閉部は平らな板状のものを略コの字型に湾曲させたものであり、且つ前記開閉部の適当な位置には穿孔が設けられていることを特徴とする請求項４記載のコネクタの固定装置である。
請求項６の考案は、前記固定装置のフック掛合部はワイヤを湾曲して成るものであり、開口端を具有し、該開口端上には二つの円軸が設けられ、該円軸は前記開閉部の第二穿孔と枢設方式で連結されることを特徴とする請求項４記載のコネクタの固定装置である。
請求項７の考案は、前記固定装置のフック掛合部は方形、或いは半円形、或いは三角形、或いは梯子型を呈したフレーム体であることを特徴とする請求項１記載のコネクタの固定装置である。
【０００９】
請求項８の考案は、コネクタ本体と固定装置とより構成されるコネクタの固定装置において、連結部を具有する該コネクタ本体と、少なくとも一つ以上設けられるものであり、また相互に連結される開閉部及びフック掛合部を具有し、前記コネクタ本体上に枢設される前記固定装置と、を具有し、前記の枢設される個所を中心として、前記開閉部の移動地位を変え、前記コネクタ本体とドックコネクタとの固定を達成することを特徴とするコネクタの固定装置である。
請求項９の考案は、前記コネクタ本体の連結部はスロットであることを特徴とする請求項８記載のコネクタの固定装置である。
【考案の効果】
【００１０】
本考案によると、コネクタのドックコネクタへの固定が堅牢になったという効果が奏し、この固定が堅牢になる以外にも、コネクタとドックコネクタとの着脱が容易になり、また湿気の進入が防止されるという効果を奏する。
【考案を実施するための最良の形態】
【００１１】
本考案の好適な実施例を図面に沿って説明する。
図３に示すように、本考案の実施例のコネクタの固定装置であり、主にコネクタ本体１０と一つ以上の固定装置２０とより構成される。
前記コネクタ本体１０は、電源線プラグやIEEE1394、RJ-45、D-SUB、RCA JACK、Phone Jack、S terminal等の各種コネクタを含み、本考案における実施例ではD-SUBを用いており、形状は略方形を呈しているものとし、連結部１１は該コネクタ本体１０の前方より延伸し、内部には多数の接触端子が設けられており、該端子の外周には環状の凹型溝１１１（図７参照）が設けられ、該凹型溝１１１は防水パッキン１３を設置する個所を提供する。該連結部１１のもう一端のコネクタ本体１０には導線部１２が接続され、該導線部１２側のコネクタ本体１０両側にはそれぞれ外側に延伸するフック部１４が設けられ、該コネクタ本体１０の左右両側には孔１５が設けられる。
【００１２】
前記固定装置２０は一組あるいは二組の形式で該コネクタ本体１０上に枢設され、一組のみの場合には一端を固定式連結装置（図無し）とするが、本考案の実施例では二組の固定装置２０を設けており、該固定装置２０には開閉部２１及びフック掛合部２２を含み、該開閉部２１は材質が金属で略コの字型に湾曲しており、該開閉部２１上には第一穿孔２１１及び第二穿孔２１２が開設され、該第一穿孔２１１は該コネクタ本体１０の孔１５に対応する位置に設けられ、枢軸２３を穿設することで該コネクタ本体１０が該開閉部２１に枢設される。また該第二穿孔２１２は該フック掛合部２２と枢設され、該フック掛合部２２は金属線を湾曲させて成型されており、実施例中では開口端２２１及び封鎖端２２２を具有する略方形を呈したフレーム状としているが、半円形や三角形、梯子型およびその他の形状でもよい。該フック掛合部２２の開口端２２１上下にはそれぞれ円軸２２３が延伸しており、該円軸２２３は該開閉部２１の第二穿孔２１２内に穿設される。
【００１３】
図４に示すように、本考案のコネクタとドックコネクタであるが、上述の構造により、該コネクタ本体１０はドックコネクタ３０上に挿し込まれ、該ドックコネクタ３０の中央には連結部１１（図３参照）が該スロット３１に相対した個所に設けられており、左右両側にはそれぞれフック３２が設けられ、該フック３２は該フック掛合部２２の閉鎖端２２２に掛けられて連結するものである。或いは該固定装置２０を該ドックコネクタ３０の両側に設置し（図無し）、該コネクタ本体１０側にフック等の相対する部位を設けることで固定の作用を提供するものとしてもよい。
【００１４】
図５，６及び図７に示すように、実際に使用するには先ず該コネクタ１０の連結部１１を該ドックコネクタ３０のスロット３１中に挿入し、該固定装置２０両側の開閉部２１を開け、該フック掛合部２２を前方に移動させ、該フック掛合部２２の閉鎖端２２２を該ドックコネクタ３０のフック３２上に掛け、該枢軸２３を回転の中心として該開閉部２１を後方に回転させて掛け合わせ、該コネクタ１０のフック部１４で該開閉部２１の末端個所を圧制することで固定し、該コネクタ１０と該ドックコネクタ３０とをしっかりと固定する。
【００１５】
したがって、本考案の実施例ではコネクタのドックコネクタへの固定が堅牢になり、堅牢な固定となる以外にも、コネクタとドックコネクタとの着脱が容易になり、また湿気の進入が防止される。
【図面の簡単な説明】
【００１６】
【図１】公知のコネクタの固定装置における説明図である。
【図２】もう一つの公知のコネクタにおける固定装置の説明図である。
【図３】本考案の立体分解図である。
【図４】本考案のコネクタとドックコネクタにおける立体分解図である。
【図５】本考案のコネクタとドックコネクタにおける使用状態を示す図である。
【図６】本考案のコネクタとドックコネクタを組み合わせた使用状態を示す図である。
【図７】図６の断面図である。
【符号の説明】
【００１７】
１０a、３０a  コネクタ
１１a  突起板
１２a  鳩尾型溝
２０a、４０a  ドックコネクタ
２１a   ワイヤ
２２a  凸部
２３a、４2a  ボルト
３１a  凸型耳
３２a  孔
４１a  ボルトホール
１０  コネクタ本体
１１  連結部
１１１  凹型溝
１２  導線部
１３  防水パッキン
１４  フック部
１５  孔
２０  固定装置
２１  開閉部
２１１  第一穿孔
２１２  第二穿孔
２２  フック掛合部
２２１  開口端
２２２  閉鎖端
２２３  円軸  
２３  枢軸
３０  ドックコネクタ
３１  スロット
３２  フック
【図１】
0003109807.tif 000003
【図２】
0003109807.tif 000004
【図３】
0003109807.tif 000005
【図４】
0003109807.tif 000006
【図５】
0003109807.tif 000007
【図６】
0003109807.tif 000008
【図７】
0003109807.tif 000009